(57)【要約】      （修正有）【課題】ブレーキ踏み込み操作によるコースト減速時、チェーンノイズの発生を抑制する。【解決手段】ベルト式無段変速機ＣＶＴと、ベルト式無段変速機ＣＶＴのセカンダリプーリへ導くセカンダリ圧を、変速機入力トルクに基づいて制御するＣＶＴコントロールユニットと、を備える。ベルト式無段変速機ＣＶＴは、エンジンと駆動輪の間に配され、プライマリプーリと、セカンダリプーリと、プライマリプーリのシーブ面とセカンダリプーリのシーブ面に掛け渡されたチェーンベルトと、を有する。このベルト式無段変速機ＣＶＴの制御装置において、ＣＶＴコントロールユニットは、ブレーキ踏み込み操作によるコースト減速時、車両減速度に基づいて音振性能が許容レベルとなる上限油圧を算出し、上限油圧以下となるようにセカンダリ圧を制限するセカンダリ圧制限制御部を有する。【選択図】図４
2019116935.tif 000002
【特許請求の範囲】
【請求項１】
走行用駆動源と駆動輪の間に配され、プライマリプーリと、セカンダリプーリと、前記プライマリプーリのシーブ面と前記セカンダリプーリのシーブ面に掛け渡されたチェーンベルトと、を有するベルト式無段変速機と、
前記ベルト式無段変速機のセカンダリプーリへ導くセカンダリ圧を、変速機入力トルクに基づいて制御する変速コントローラと、を備え、
前記変速コントローラは、ブレーキ踏み込み操作によるコースト減速時、車両減速度に基づいて音振性能が許容レベルとなる上限油圧を算出し、前記上限油圧以下となるように前記セカンダリ圧を制限するセカンダリ圧制限制御部を有する
ことを特徴とするベルト式無段変速機の制御装置。
【請求項２】
請求項１に記載されたベルト式無段変速機の制御装置において、
前記セカンダリ圧制限制御部は、変速機入力トルクに基づいてベルト滑りを抑えるクランプ力を確保する下限油圧を算出し、前記下限油圧が上限油圧以上の場合、前記下限油圧以上となるように前記セカンダリ圧を制限する
ことを特徴とするベルト式無段変速機の制御装置。
【請求項３】
請求項２に記載されたベルト式無段変速機の制御装置において、
前記セカンダリ圧制限制御部は、変速機入力トルクに基づいて所定の安全率を担保する目標油圧を算出し、
ブレーキ踏み込み操作によるコースト減速時、前記目標油圧が前記上限油圧未満である場合は前記目標油圧に変速フィードバック油圧を加算した油圧によりセカンダリ指示圧を算出し、
前記下限油圧が前記上限油圧未満である場合は前記上限油圧に変速フィードバック油圧を加算した油圧によりセカンダリ指示圧を算出し、
前記下限油圧が前記上限油圧以上である場合は前記下限油圧に変速フィードバック油圧を加算した油圧によりセカンダリ指示圧を算出する
ことを特徴とするベルト式無段変速機の制御装置。
【請求項４】
請求項１から３までの何れか一項に記載されたベルト式無段変速機の制御装置において、
前記走行用駆動源がエンジンであり、
前記エンジンと前記ベルト式無段変速機の間に配され、ロックアップクラッチを有するトルクコンバータと、
アクセル足離し操作情報を入力すると、フューエルカット制御を開始するエンジンコントローラと、
ブレーキ踏み込み操作情報を入力すると、ブレーキトルクを増大補正するロックアップ締結時補正制御を開始するブレーキコントローラと、を備え、
前記エンジンコントローラは、前記ロックアップクラッチが締結からスムーズロックアップオフ制御を介して解放への切り替え情報を入力すると、フューエルカットリカバー制御を開始し、
前記ブレーキコントローラは、前記ロックアップクラッチが締結からスムーズロックアップオフ制御を介して解放への切り替え情報を入力すると、前記ブレーキトルクの補正量を減少するロックアップ解放時補正制御に切り替える
ことを特徴とするベルト式無段変速機の制御装置。
【発明の詳細な説明】
【技術分野】
【０００１】
本発明は、車両に搭載されるベルト式無段変速機の制御装置に関する。
【背景技術】
【０００２】
従来、プライマリプーリとセカンダリプーリとに巻きかけられるベルトとして、多数のリンクがピンによって環状に連結されたチェーンベルトを用いたチェーンベルト式無段変速機が記載されている（例えば、特許文献１参照）。
【先行技術文献】
【特許文献】
【０００３】
【特許文献１】特開２０１６−２００１９７号公報
【発明の概要】
【発明が解決しようとする課題】
【０００４】
上記従来装置は、ブレーキ踏み込み操作によるコースト減速時、エンジンからの入力トルクは一定であるが、減速に伴う変速比のロー戻り制御により変速比がロー側になるほど必要推力が高くなる。このため、コースト状態でのロー戻り制御中、変速油圧制御においてベルト滑りを抑えるようにセカンダリ油圧を高くする制御が行われる。したがって、ブレーキ踏み込み操作によるコースト減速時、チェーンベルトのピン端面とプーリシーブ面とが高い接触力により接触衝突し、この接触衝突がチェーンベルトの巻き付き移動により繰り返されることでチェーンノイズが発生する、という問題があった。
【０００５】
本発明は、上記問題に着目してなされたもので、ブレーキ踏み込み操作によるコースト減速時、チェーンノイズの発生を抑制することができるベルト式無段変速機の制御装置を提供することを目的とする。
【課題を解決するための手段】
【０００６】
上記目的を達成するため、本発明は、ベルト式無段変速機と、ベルト式無段変速機のセカンダリプーリへ導くセカンダリ圧を、変速機入力トルクに基づいて制御する変速コントローラと、を備える。
ベルト式無段変速機は、走行用駆動源と駆動輪の間に配され、プライマリプーリと、セカンダリプーリと、プライマリプーリのシーブ面とセカンダリプーリのシーブ面に掛け渡されたチェーンベルトと、を有する。
変速コントローラは、ブレーキ踏み込み操作によるコースト減速時、車両減速度に基づいて音振性能が許容レベルとなる上限油圧を算出し、上限油圧以下となるようにセカンダリ圧を制限するセカンダリ圧制限制御部を有する。
【発明の効果】
【０００７】
この結果、ブレーキ踏み込み操作によるコースト減速時、チェーンノイズの発生を抑制することができる。
【図面の簡単な説明】
【０００８】
【図１】実施例１のベルト式無段変速機の制御装置が適用されたエンジン車の駆動系と制御系を示す全体システム図である。
【図２】自動変速モードでの無段変速制御をバリエータにより実行する際に用いられるＤレンジ無段変速スケジュールの一例を示す変速スケジュール図である。
【図３】実施例１のベルト式無段変速機とエンジンとブレーキの協調制御構成を示す概要構成図である。
【図４】実施例１のＣＶＴコントロールユニットのセカンダリ圧制限制御部にて実行されるブレーキONコースト減速時のセカンダリ圧制限制御処理の流れを示すフローチャートである。
【図５】実施例１においてブレーキONコースト減速時のアクセル・ブレーキ・車速・エンジン回転数Ne・タービン回転数Nt・ロックアップトルクTlu・エンジントルクTe・ブレーキトルクTb・変速比・セカンダリ圧の各特性を示すタイムチャートである。
【発明を実施するための形態】
【０００９】
以下、本発明のベルト式無段変速機の制御装置を実施するための形態を、図面に示す実施例１に基づいて説明する。
【実施例１】
【００１０】
実施例１における制御装置は、トルクコンバータと前後進切替機構とバリエータと終減速機構により構成されるベルト式無段変速機（自動変速機の一例）を搭載したエンジン車に適用したものである。以下、実施例１の構成を、「全体システム構成」、「ベルト式無段変速機とエンジンとブレーキの協調制御構成」、「ブレーキONコースト減速時のセカンダリ圧制限制御処理構成」に分けて説明する。
【００１１】
［全体システム構成］
図１は、実施例１の制御装置が適用されたエンジン車の駆動系と制御系を示す。以下、図１に基づいて全体システム構成を説明する。
【００１２】
エンジン車の駆動系は、図１に示すように、エンジン１と、トルクコンバータ２と、前後進切替機構３と、バリエータ４と、終減速機構５と、駆動輪６，６と、を備えている。
ここで、ベルト式無段変速機ＣＶＴは、トルクコンバータ２と前後進切替機構３とバリエータ４と終減速機構５を図外の変速機ケースに内蔵することにより構成される。
【００１３】
エンジン１は、ドライバーによるアクセル操作による出力トルクの制御以外に、外部からのエンジン制御信号により出力トルクを制御可能である。このエンジン１には、点火時期リタード制御やスロットルバルブ開閉制御等によりトルクダウン制御を行う出力トルク制御アクチュエータ１０を有する。
【００１４】
トルクコンバータ２は、トルク増大機能やトルク変動吸収機能を有する流体継手による発進要素である。トルク増大機能やトルク変動吸収機能を必要としないとき、エンジン出力軸１１（＝トルクコンバータ入力軸）とトルクコンバータ出力軸２１を直結可能なロックアップクラッチ２０を有する。このトルクコンバータ２は、エンジン出力軸１１にコンバータハウジング２２を介して連結されたポンプインペラ２３と、トルクコンバータ出力軸２１に連結されたタービンランナ２４と、ケースにワンウェイクラッチ２５を介して設けられたステータ２６と、を構成要素とする。
【００１５】
前後進切替機構３は、バリエータ４への入力回転方向を前進走行時の正転方向と後退走行時の逆転方向で切り替える機構である。この前後進切替機構３は、ダブルピニオン式遊星歯車３０と、複数枚のクラッチプレートによる前進クラッチ３１と、複数枚のブレーキプレートによる後退ブレーキ３２と、を有する。前進クラッチ３１は、Ｄレンジ等の前進走行レンジ選択時に前進クラッチ圧Pfcにより油圧締結される。後退ブレーキ３２は、Ｒレンジ等の後退走行レンジ選択時に後退ブレーキ圧Prbにより油圧締結される。なお、前進クラッチ３１と後退ブレーキ３２は、Ｎレンジ（ニュートラルレンジ）の選択時、前進クラッチ圧Pfcと後退ブレーキ圧Prbをドレーンすることで、いずれも解放される。
【００１６】
バリエータ４は、プライマリプーリ４２と、セカンダリプーリ４３と、チェーンベルト４４と、を有し、ベルト接触径の変化により変速比（バリエータ入力回転とバリエータ出力回転の比）を無段階に変化させる無段変速機能を備える。プライマリプーリ４２は、バリエータ入力軸４０の同軸上に配された固定プーリ４２ａとスライドプーリ４２ｂにより構成され、スライドプーリ４２ｂは、オイルポンプ７０からの吐出圧がプライマリ圧室４５に導かれるプライマリ圧Ppriによりスライド動作する。セカンダリプーリ４３は、バリエータ出力軸４１の同軸上に配された固定プーリ４３ａとスライドプーリ４３ｂにより構成され、スライドプーリ４３ｂは、オイルポンプ７０からの吐出圧がセカンダリ圧室４６に導かれるセカンダリ圧Psecによりスライド動作する。チェーンベルト４４は、プライマリプーリ４２のＶ字形状をなすシーブ面と、セカンダリプーリ４３のＶ字形状をなすシーブ面に掛け渡されている。このチェーンベルト４４は、プーリ進行方向に多数配列したチェーンエレメントを、プーリ軸方向に貫通するピンにより結合したチェーンタイプのベルトである。
【００１７】
終減速機構５は、バリエータ出力軸４１からのバリエータ出力回転を減速すると共に差動機能を与えて左右の駆動輪６，６に伝達する機構である。この終減速機構５は、減速ギヤ機構として、バリエータ出力軸４１に設けられたアウトプットギヤ５２と、アイドラ軸５０に設けられたアイドラギヤ５３及びリダクションギヤ５４と、デフケースの外周位置に設けられたファイナルギヤ５５と、を有する。そして、差動ギヤ機構として、左右のドライブ軸５１，５１に介装されたディファレンシャルギヤ５６を有する。
【００１８】
エンジン車の制御系は、図１に示すように、油圧制御系を代表する油圧制御ユニット７と、電子制御系を代表するＣＶＴコントロールユニット８と、エンジンコントロールユニット９と、を備えている。
【００１９】
油圧制御ユニット７は、プライマリ圧室４５に導かれるプライマリ圧Ppri、セカンダリ圧室４６に導かれるセカンダリ圧Psec、前進クラッチ３１への前進クラッチ圧Pfc、後退ブレーキ３２への後退ブレーキ圧Prb、等を調圧するユニットである。この油圧制御ユニット７は、走行用駆動源であるエンジン１により回転駆動されるオイルポンプ７０と、オイルポンプ７０からの吐出圧に基づいて各種の制御圧を調圧する油圧制御回路７１と、を備える。油圧制御回路７１には、ライン圧ソレノイド弁７２と、プライマリ圧ソレノイド弁７３と、セカンダリ圧ソレノイド弁７４と、セレクトソレノイド弁７５と、ロックアップ圧ソレノイド弁７６と、を有する。なお、各ソレノイド弁７２，７３，７４，７５，７６は、ＣＶＴコントロールユニット８から出力される制御指令値によって各指令圧に調圧する。
【００２０】
ライン圧ソレノイド弁７２は、ＣＶＴコントロールユニット８から出力されるライン圧指令値に応じ、オイルポンプ７０からの吐出圧を、指令されたライン圧PLに調圧する。このライン圧PLは、各種の制御圧を調圧する際の元圧であり、駆動系を伝達するトルクに対してベルト滑りやクラッチ滑りを抑える油圧とされる。
【００２１】
プライマリ圧ソレノイド弁７３は、ＣＶＴコントロールユニット８から出力されるプライマリ圧指令値に応じ、ライン圧PLを元圧として指令されたプライマリ圧Ppriに減圧調整する。セカンダリ圧ソレノイド弁７４は、ＣＶＴコントロールユニット８から出力されるセカンダリ圧指令値に応じ、ライン圧PLを元圧として指令されたセカンダリ圧Psecに減圧調整する。
【００２２】
セレクトソレノイド弁７５は、ＣＶＴコントロールユニット８から出力される前進クラッチ圧指令値又は後退ブレーキ圧指令値に応じ、ライン圧PLを元圧として指令された前進クラッチ圧Pfc又は後退ブレーキ圧Prbに減圧調整する。
【００２３】
ロックアップ圧ソレノイド弁７６は、ＣＶＴコントロールユニット８から出力されるロックアップ圧指令値に応じ、ロックアップクラッチ２０を締結/スリップ締結/解放するロックアップ制御圧PL/Uを調整する。
【００２４】
ＣＶＴコントロールユニット８は、ライン圧制御や変速制御や前後進切替制御やロックアップ制御、等を行う。ライン圧制御では、アクセル開度等に応じた目標ライン圧を得る指令値をライン圧ソレノイド弁７２に出力する。変速制御では、目標変速比（目標プライマリ回転Npri*）を決めると、決めた目標変速比（目標プライマリ回転Npri*）を得る指令値をプライマリ圧ソレノイド弁７３及びセカンダリ圧ソレノイド弁７４に出力する。前後進切替制御では、選択されているレンジ位置に応じて前進クラッチ３１と後退ブレーキ３２の締結/解放を制御する指令値をセレクトソレノイド弁７５に出力する。ロックアップ制御では、ロックアップクラッチ２０を締結/スリップ締結/解放するロックアップ制御圧PL/Uを制御する指令値をロックアップ圧ソレノイド弁７６に出力する。
【００２５】
ＣＶＴコントロールユニット８には、プライマリ回転センサ８０、車速センサ８１、セカンダリ圧センサ８２、油温センサ８３、インヒビタスイッチ８４、ブレーキスイッチ８５、アクセル開度センサ８６、プライマリ圧センサ８７、セカンダリ回転センサ８８、タービン回転センサ８９等からのセンサ情報やスイッチ情報が入力される。又、エンジンコントロールユニット９には、エンジン回転センサ１２からのエンジン回転数情報が入力される。
【００２６】
ＣＶＴコントロールユニット８とエンジンコントロールユニット９は、CAN通信線１３により双方向通信可能に接続されている。例えば、エンジンコントロールユニット９からＣＶＴコントロールユニット８へは、CAN通信線１３を介してエンジントルク情報等を入力する。ＣＶＴコントロールユニット８からエンジンコントロールユニット９へは、CAN通信線１３を介してフューエルカット要求やフューエルリカバー要求等を送信する。
【００２７】
図２は、Ｄレンジ選択時に自動変速モードでの無段変速制御をバリエータ４により実行する際に用いられるＤレンジ無段変速スケジュールの一例を示す。
【００２８】
「Ｄレンジ変速モード」は、車両運転状態に応じて変速比を自動的に無段階に変更する自動変速モードである。「Ｄレンジ変速モード」での変速制御は、車速VSP（車速センサ８１）とアクセル開度APO（アクセル開度センサ８６）により特定される図２のＤレンジ無段変速スケジュール上での運転点（VSP,APO）により、目標プライマリ回転数Npri*を決める。そして、プライマリ回転センサ８０からのプライマリ回転数Npriを、目標プライマリ回転数Npri*に一致させるプーリ油圧制御により行われる。
【００２９】
即ち、「Ｄレンジ変速モード」で用いられるＤレンジ無段変速スケジュールは、図２に示すように、運転点（VSP,APO）に応じて最Low変速比と最High変速比による変速比幅の範囲内で変速比を無段階に変更するように設定されている。例えば、車速VSPが一定のときは、アクセル踏み込み操作を行うと目標プライマリ回転数Npri*が上昇してダウンシフト方向に変速し、アクセル戻し操作を行うと目標プライマリ回転数Npri*が低下してアップシフト方向に変速する。アクセル開度APOが一定のときは、車速VSPが上昇するとアップシフト方向に変速し、車速VSPが低下するとダウンシフト方向に変速する。
【００３０】
なお、図２の太線で示す変速線は、アクセル開度APOがゼロであるアクセル足離し操作時のコースト変速線である。例えば、ブレーキONコースト減速時には、図２の矢印Ａに示すように、車速VSPの低下に応じて最Low変速比に向かってダウンシフトするロー戻り制御が行われる。
【００３１】
［ベルト式無段変速機とエンジンとブレーキの協調制御構成］
以下、図３に基づいてベルト式無段変速機とエンジンとブレーキの協調制御構成を説明する。
【００３２】
エンジン車の駆動系は、図３に示すように、エンジン１と、トルクコンバータ２（ロックアップクラッチ２０）と、前後進切替機構３（前進クラッチ３１、後退ブレーキ３２）と、バリエータ４と、終減速機構５と、駆動輪６と、を備えている。
【００３３】
エンジン車の制御系は、図３に示すように、ＣＶＴコントロールユニット８（変速コントローラ）と、エンジンコントロールユニット９と、ブレーキコントロールユニット１４とを備えている。これらのコントロールユニット８，９，１４は、情報交換可能なCAN通信線１３により互いに接続されている。
【００３４】
ＣＶＴコントロールユニット８は、ブレーキONコースト減速時、車両減速度に基づいてチェーンノイズ（音振性能）が許容レベルとなる上限油圧を算出し、上限油圧以下となるようにセカンダリ圧Psecを制限するセカンダリ圧制限制御部８ａを有する。セカンダリ圧制限制御部８ａは、変速機入力トルクに基づいてベルト滑りを抑えるクランプ力を確保する下限油圧を算出し、上限油圧≦下限油圧のときは、セカンダリ圧Psecを下限油圧以上となるように制限する。
【００３５】
ＣＶＴコントロールユニット８からエンジンコントロールユニット９へは、CAN通信線１３を介した送信により、アクセルOFF操作情報と、L/U ONからL/U OFFへの切り替え情報とを出力する。ＣＶＴコントロールユニット８からブレーキコントロールユニット１４へは、CAN通信線１３を介した送信により、ブレーキON操作情報と、L/U ONからL/U OFFへの切り替え情報と、トルクコンバータ２の速度比がカップリングポイント以下（Ne−Nt≧所定差回転）となった情報とを出力する。
【００３６】
エンジンコントロールユニット９は、ＣＶＴコントロールユニット８からCAN通信線１３を介した送信によりアクセルOFF操作情報を入力すると、フューエルカット制御（燃料カット制御）を開始する。そして、ＣＶＴコントロールユニット８からCAN通信線１３を介した送信によりロックアップクラッチ２０のL/U ONからL/U OFFへの切り替え情報を入力すると、フューエルカットリカバー制御を開始する。なお、フューエルカットリカバー制御は、その後、停車するとフューエルカット制御に切り替える。
【００３７】
ブレーキコントロールユニット１４は、ＣＶＴコントロールユニット８からCAN通信線１３を介した送信によりブレーキOFFからブレーキONへのブレーキON操作情報を入力すると、ブレーキトルクを増大補正するL/U ON時ブレーキトルク補正制御を開始する。そして、ＣＶＴコントロールユニット８からCAN通信線１３を介した送信によりロックアップクラッチ２０のL/U ONからL/U OFFへの切り替え情報を入力すると、ブレーキトルクの補正量を減少するL/U OFF時ブレーキトルク補正制御を開始する。さらに、ＣＶＴコントロールユニット８からCAN通信線１３を介した送信によりトルクコンバータ２の速度比がカップリングポイント以下となった情報を入力すると、L/U OFF時ブレーキトルク補正制御を終了する。
【００３８】
ここで、ブレーキトルク補正制御は、ブレーキペダル１５への踏み込み操作によりマスタシリンダ１６で作り出されたマスタシリンダ圧を入力し、これを増圧・減圧・保持するブレーキ液圧アクチュエータ１７に対する制御指令により行われる。ブレーキ液圧アクチュエータ１７により作り出された制御液圧は、駆動輪６及び図外の従動輪に設けられたホイールシリンダ１８に供給される。
【００３９】
［ブレーキONコースト減速時のセカンダリ圧制限制御処理構成］
図４は、実施例１のＣＶＴコントロールユニット８のセカンダリ圧制限制御部８ａにて実行されるブレーキONコースト減速時のセカンダリ圧制限制御処理の流れを示す。以下、図４の各ステップについて説明する。
【００４０】
ステップＳ１では、スタートに続き、ブレーキONコースト減速時であるか否かを判断する。YES（ブレーキONコースト減速時）の場合はステップＳ２へ進み、NO（ブレーキONコースト減速時ではない）の場合はステップＳ１１へ進む。
【００４１】
ここで、「ブレーキONコースト減速時」は、アクセル足離し操作が検出された後、ブレーキ踏み込み操作が検出されることで判断する。そして、ブレーキONコースト減速時であるとの判断を、セカンダリ圧制限制御の開始条件とする。
【００４２】
ステップＳ２では、ステップＳ１でのブレーキONコースト減速時であるとの判断、或いは、ステップＳ１０でのセカンダリ圧制限制御の終了条件不成立であるとの判断に続き、変速機入力トルクに基づいてセカンダリ圧Psecの目標油圧を算出し、ステップＳ３へ進む。
【００４３】
ここで、「セカンダリ圧Psecの目標油圧」は、変速機入力トルクに基づいて所定の安全率（安全率＝セカンダリ圧Psecでチェーンベルト４４をクランプした場合の伝達可能トルク／変速機入力トルク、例えば、安全率＝1.5程度）を担保するのに必要な油圧として算出される。変速機入力トルクは、アクセル踏み込み操作によるドライブ状態では、エンジン１からトルクコンバータ２を経由した駆動トルクになる。アクセル足離し操作によるコースト状態では、エンジンブレーキトルクになる。ブレーキ踏み込操作によるコースト減速状態では、エンジンブレーキトルクにブレーキトルクを加えたトルクになる。
【００４４】
ステップＳ３では、ステップＳ２での目標油圧の算出に続き、車両減速度に基づいて上限油圧を算出し、ステップＳ４へ進む。
【００４５】
ここで、「車両減速度」の情報は、車速VSPの微分演算や前後Ｇセンサのセンサ値等から取得する。「上限油圧」は、チェーンノイズ（音振性能）が乗員にとって許容レベル（違和感を与えない大きさ）となるセカンダリ圧Psecに設定される。そして、セカンダリ圧Psecを一定圧にすると車両減速度が大きいほどチェーンノイズが高くなることから、車両減速度が大きいほど上限油圧は低い油圧に設定される。
【００４６】
ステップＳ４では、ステップＳ３での上限油圧の算出に続き、目標油圧が上限油圧未満であるか否かを判断する。YES（目標油圧＜上限油圧）の場合はステップＳ５へ進み、NO（目標油圧≧上限油圧）の場合はステップＳ６へ進む。
【００４７】
ステップＳ５では、ステップＳ４での目標油圧＜上限油圧であるとの判断に続き、目標セカンダリ圧を、目標油圧に変速フィードバック油圧を加算することで算出し、ステップＳ９へ進む。
【００４８】
ここで、「変速フィードバック油圧」とは、セカンダリ圧Psecのフィードバック制御を行う場合の目標セカンダリ圧と実セカンダリ圧との偏差による油圧分をいう。つまり、セカンダリ圧Psecは、目標セカンダリ圧と、セカンダリ圧センサ８２により検出される実セカンダリ圧との偏差を無くすようにフィードバック制御される。
【００４９】
ステップＳ６では、ステップＳ４での目標油圧≧上限油圧であるとの判断に続き、下限油圧が上限油圧未満であるか否かを判断する。YES（下限油圧＜上限油圧）の場合はステップＳ７へ進み、NO（下限油圧≧上限油圧）の場合はステップＳ８へ進む。
【００５０】
ここで、「下限油圧」は、変速機入力トルクに基づいてベルト滑りを抑えるクランプ力を確保する油圧として算出される。つまり、下限油圧は、変速機入力トルクに基づいて目標油圧より低い安全率（例えば、安全率＝1.2程度）を担保するのに必要なベルト滑り防止対策の油圧として算出される。
【００５１】
ステップＳ７では、ステップＳ６での下限油圧＜上限油圧であるとの判断に続き、目標セカンダリ圧を、上限油圧に変速フィードバック油圧を加算することで算出し、ステップＳ９へ進む。
【００５２】
ステップＳ８では、ステップＳ６での下限油圧≧上限油圧であるとの判断に続き、目標セカンダリ圧を、下限油圧に変速フィードバック油圧を加算することで算出し、ステップＳ９へ進む。
【００５３】
ステップＳ９では、ステップＳ５、Ｓ７、Ｓ８での目標セカンダリ圧の算出に続き、算出された目標セカンダリ圧を、制御指令であるセカンダリ指示圧に換算して算出し、ステップＳ１０へ進む。
【００５４】
ステップＳ１０では、ステップＳ９でのセカンダリ指示圧の算出に続き、セカンダリ圧制限制御終了条件が成立したか否かを判断する。YES（セカンダリ圧制限制御終了条件成立）の場合はエンドへ進み、NO（セカンダリ圧制限制御終了条件不成立）の場合はステップＳ２へ戻る。
【００５５】
ここで、「セカンダリ圧制限制御終了条件」とは、セカンダリ圧制限制御を必要としない状況になったか否かを判断する条件であり、例えば、ブレーキトルク補正制御の終了条件であるトルクコンバータ２の速度比がカップリングポイント以下となった条件等により与える。
【００５６】
ステップＳ１１では、ステップＳ１でのブレーキONコースト減速時ではないとの判断に続き、セカンダリ圧の通常制御を実行し、エンドへ進む。
【００５７】
ここで、「セカンダリ圧の通常制御」とは、変速機入力トルクに基づいてセカンダリ圧Psecの目標油圧を算出し、目標油圧に変速フィードバック油圧を加えて目標セカンダリ圧とする制御をいう。
【００５８】
次に、実施例１の作用を、「ブレーキONコースト減速時のセカンダリ圧制限制御処理作用」、「ブレーキONコースト減速時の音振対策制御作用」に分けて説明する。
【００５９】
［ブレーキONコースト減速時のセカンダリ圧制限制御処理作用］
図４のフローチャートに基づいてブレーキONコースト減速時のセカンダリ圧制限制御処理作用を説明する。
【００６０】
ドライブ走行シーン等のように、ブレーキONコースト減速時ではないシーンの場合、図４のフローチャートにおいて、ステップＳ１→ステップＳ１１→エンドへと進む。ステップＳ１１では、変速機入力トルクに基づいてセカンダリ圧Psecの目標油圧を算出し、目標油圧に変速フィードバック油圧を加えて目標セカンダリ圧とするセカンダリ圧の通常制御が実行される。
【００６１】
ブレーキONコースト減速時であり、セカンダリ圧制限制御の開始域において目標油圧＜上限油圧である場合は、図４のフローチャートにおいて、ステップＳ１→ステップＳ２→ステップＳ３→ステップＳ４→ステップＳ５→ステップＳ９へと進む。ステップＳ５では、目標セカンダリ圧が、目標油圧に変速フィードバック油圧を加算することで算出される。次のステップＳ９では、算出された目標セカンダリ圧がセカンダリ指示圧に換算され、セカンダリ圧制御指令として出力される。
【００６２】
その後、セカンダリ圧制限制御中に目標油圧が上昇し、目標油圧＜上限油圧から目標油圧≧上限油圧へと移行した場合、下限油圧＜上限油圧であると、ステップＳ１→ステップＳ２→ステップＳ３→ステップＳ４→ステップＳ６→ステップＳ７→ステップＳ９へと進む。ステップＳ７では、目標セカンダリ圧が、上限油圧に変速フィードバック油圧を加算することで算出される。次のステップＳ９では、算出された目標セカンダリ圧がセカンダリ指示圧に換算され、セカンダリ圧制御指令として出力される。この目標セカンダリ圧の上昇を上限油圧により制限するセカンダリ圧制限制御は、目標油圧が低下し、目標油圧≧上限油圧から目標油圧＜上限油圧へと移行するまで維持される。
【００６３】
その後、目標油圧が低下し、目標油圧≧上限油圧から目標油圧＜上限油圧へと移行すると、再度、ステップＳ１→ステップＳ２→ステップＳ３→ステップＳ４→ステップＳ５→ステップＳ９へと進む。つまり、目標セカンダリ圧を目標油圧に基づいて制御するセカンダリ圧制御に復帰する。
【００６４】
さらに、セカンダリ圧制限制御中に車両減速度が大きく上限油圧が低くなり、目標油圧＜上限油圧から目標油圧≧上限油圧へと移行し、かつ、下限油圧≧上限油圧になったとする。この場合、ステップＳ１→ステップＳ２→ステップＳ３→ステップＳ４→ステップＳ６→ステップＳ８→ステップＳ９へと進む。ステップＳ８では、目標セカンダリ圧が、下限油圧に変速フィードバック油圧を加算することで算出される。次のステップＳ９では、算出された目標セカンダリ圧がセカンダリ指示圧に換算され、セカンダリ圧制御指令として出力される。この目標セカンダリ圧の低下を下限油圧以上となるように制限するセカンダリ圧制限制御は、車両減速度が小さくなって上限油圧が高くなり、下限油圧≧上限油圧から下限油圧＜上限油圧へと移行するまで維持される。
【００６５】
そして、ステップＳ２〜ステップＳ１０を繰り返すことで実行されるブレーキONコースト減速時のセカンダリ圧制限制御は、ステップＳ１０において、セカンダリ圧制限制御終了条件が成立するとエンドへ進んで終了する。
【００６６】
このように、ブレーキONコースト減速時のセカンダリ圧制限制御では、開始条件が成立してから終了条件が成立するまでのブレーキONコースト減速中に限って、セカンダリ圧Psecが上限油圧と下限油圧の範囲内に収まるように制御されることになる。
【００６７】
［ブレーキONコースト減速時の音振対策制御作用］
背景として、ブレーキONコースト減速時にチェーンノイズが感性評価においてNGであるとの指摘があった。この原因は、ブレーキONコースト減速時、仮に入力トルクが一定であっても、変速比がLow変速比側に移行するほど必要推力が高くなる特性があるためであると判断した。
【００６８】
これに対し、現状において、ブレーキONコースト減速時にブレーキトルク補正を、ロックアップクラッチのON/OFFで切り替えている。即ち、ロックアップクラッチを解放することで、フューエルリカバー制御をすると、入力トルク絶対値が小さくなる。よって、ロックアップクラッチの締結→解放のタイミングでセカンダリ圧はピークになる。
【００６９】
本発明者等は、セカンダリ圧のピークを下げるための方策として、ロックアップ解放、かつ、タービン回転数Ntとエンジン回転数Neの回転差≦所定回転数（例えば、100rpm）というロックアップ解放判定条件を変更することで音振対策を試みた。
【００７０】
しかし、ロックアップ解放判定条件を変更する方法では、低車速急ブレーキ（ABS非作動）においてリスクがある、という課題がある。特に、ロックアップのスムーズオフ中の急減速が弱くなることが考えられる。加えて、回転差が出ていなく、ロックアップクラッチが容量を持っている状態で切り替えてしまうのがリスクになる、という課題がある。
【００７１】
課題解決方策を考えるとき、そもそも変速比のロー戻り制御で、セカンダリ圧が高いのは、入力トルク（コースト）が一定でも変速比がロー変速比側に移行するほど必要推力が高くなるためである。これに加え、ロー戻り対策の油圧上昇や変速差推力分が上乗せされてセカンダリ圧となる。
【００７２】
そこで、本発明者等は、上記課題とセカンダリ圧制御に着目し、ブレーキONコースト減速時にチェーンノイズを抑えたいという音振要求に対し、セカンダリ圧Psecを上限油圧以下となるように制限した音振対策セカンダリ圧とするセカンダリ圧制限手法を採用した。具体的には、ロックアップ解放判定条件を変更することなく、セカンダリ圧がピークとなるタイミングの前後領域でロー戻り対策の油圧上昇や変速差推力分が上乗せされたセカンダリ圧に上限を設ける。但し、上限油圧が最小限確保しておきたい油圧を切ることでベルト容量が低下するリスクもあるので、ベルト滑り防止（崖落ち防止）として下記の前提条件を設ける。
・セカンダリ圧制限制御を、音振対策領域（ブレーキONコースト減速時）に限定して作動させる。
・セカンダリ圧制限制御では、常に、セカンダリ圧≧下限油圧を保つようにする。
【００７３】
次に、図５に基づいてブレーキONコースト減速時の音振対策制御作用を説明する。
時刻t1においてアクセル足離し操作が行われると、エンジン１で燃料噴射を停止するフューエルカット制御が開始され、エンジントルクTeが負の値によるエンジンブレーキトルクになる。このエンジンブレーキトルクは、ロックアップ解放判定条件が成立する時刻t4まで維持される。
【００７４】
時刻t2においてブレーキ踏み込み操作が行われると、ブレーキ液圧系統でブレーキトルクを増大補正するロックアップON時のブレーキトルク補正制御が開始され、ブレーキトルクが負の値による大きなブレーキトルクになる。このブレーキトルクは、ロックアップ解放判定条件が成立する時刻t4まで維持される（図５の右上がりハッチング領域）。
【００７５】
時刻t2においてブレーキ踏み込み操作が行われると、ブレーキONコースト減速時という開始条件が成立し、セカンダリ圧制限制御が開始される。そして、目標油圧≦上限油圧である時刻t2〜時刻t3までの間は、目標油圧によるセカンダリ圧制御となる。
【００７６】
時刻t3においてロックアップ解除車速になると、ロックアップクラッチ２０のスムーズオフ制御が開始される。このタイミングに符合、或いは、前後して目標油圧＞上限油圧になると、上限油圧によるセカンダリ圧の制限が開始される。この上限油圧によるセカンダリ圧の制限は、目標油圧＞上限油圧から目標油圧≦上限油圧へと移行する時刻t5まで維持される。
【００７７】
時刻t4においてロックアップ解放、かつ、回転差（Nt−Ne）≦所定回転数（例えば、100rpm）というロックアップ解放判定条件が成立すると、エンジン１で燃料噴射を再開するフューエルカットリカバー制御が開始される。同時に、ブレーキ液圧系統でブレーキトルク補正制御がロックアップON時ブレーキトルク補正制御からロックアップOFF時ブレーキトルク補正制御へと切り替えられる。よって、時刻t2から時刻t4までは、エンジンブレーキトルクに増大補正によるブレーキトルクを足し合わせた変速機入力トルクになるが、時刻t4から時刻t7までは、減少補正によるブレーキトルクのみによる変速機入力トルクになる。
【００７８】
時刻t6においてロックアップトルクTluがゼロになり、バリエータ４の変速比が最Low変速比に到達すると、タービン回転数Ntが低下を開始する。
【００７９】
時刻t7においてタービン回転数Nt＞エンジン回転数Neであり、かつ、トルクコンバータ２の速度比がカップリングポイント以下になると、ロックアップOFF時ブレーキトルク補正制御を終了する。同時に、セカンダリ圧制限制御も終了し、時刻t8にて車両が停止する。
【００８０】
このように、ブレーキONコースト減速時には、図５の矢印Ｂで囲まれる枠内特性に示すように、実線のピークを持つ通常時SEC圧が、破線の音振対策SEC圧（上限油圧）まで制限される。そして、上限油圧は、チェーンノイズが許容レベルとなるセカンダリ圧に設定されている。このため、ブレーキ踏み込み操作によるコースト減速時、ロックアップ解放判定条件を変更することなく、チェーンノイズの発生が抑制される。
【００８１】
実施例１のベルト式無段変速機ＣＶＴの制御装置にあっては、下記に列挙する効果を奏する。
【００８２】
(1) ベルト式無段変速機ＣＶＴと、ベルト式無段変速機ＣＶＴのセカンダリプーリ４３へ導くセカンダリ圧Psecを、変速機入力トルクに基づいて制御する変速コントローラ（ＣＶＴコントロールユニット８）と、を備える。
ベルト式無段変速機ＣＶＴは、走行用駆動源（エンジン１）と駆動輪６の間に配され、プライマリプーリ４２と、セカンダリプーリ４３と、プライマリプーリ４２のシーブ面とセカンダリプーリ４３のシーブ面に掛け渡されたチェーンベルト４４と、を有する。
変速コントローラ８（ＣＶＴコントロールユニット８）は、ブレーキ踏み込み操作によるコースト減速時、車両減速度に基づいて音振性能が許容レベルとなる上限油圧を算出し、上限油圧以下となるようにセカンダリ圧Psecを制限するセカンダリ圧制限制御部８ａを有する。
このため、ブレーキ踏み込み操作によるコースト減速時、チェーンノイズの発生を抑制することができる。
【００８３】
(2) セカンダリ圧制限制御部８ａは、変速機入力トルクに基づいてベルト滑りを抑えるクランプ力を確保する下限油圧を算出し、下限油圧が上限油圧以上の場合、下限油圧以上となるようにセカンダリ圧Psecを制限する。
このため、ブレーキ踏み込み操作によるコースト減速時、チェーンベルト４４のベルト滑り防止を確保することができる。即ち、ブレーキ踏み込み操作によるコースト減速時、セカンダリ圧Psecが下限油圧を下回らないように制限されることによる。
【００８４】
(3) セカンダリ圧制限制御部８ａは、変速機入力トルクに基づいて所定の安全率を担保する目標油圧を算出する。
ブレーキ踏み込み操作によるコースト減速時、目標油圧が上限油圧未満である場合は目標油圧に変速フィードバック油圧を加算した油圧によりセカンダリ指示圧を算出する。
下限油圧が上限油圧未満である場合は上限油圧に変速フィードバック油圧を加算した油圧によりセカンダリ指示圧を算出する。
下限油圧が上限油圧以上である場合は下限油圧に変速フィードバック油圧を加算した油圧によりセカンダリ指示圧を算出する。
このため、ブレーキ踏み込み操作によるコースト減速時、チェーンノイズの発生抑制と、ベルト滑り防止との両立を図ることができる。即ち、ブレーキ踏み込み操作によるコースト減速時、セカンダリ圧Psecが上限油圧と下限油圧以上となるように制限された範囲内の油圧に制御されることによる。
【００８５】
(4) 走行用駆動源がエンジン１であり、トルクコンバータ２と、エンジンコントローラ（エンジンコントロールユニット９）と、ブレーキコントローラ（ブレーキコントロールユニット１４）と、を備える。
トルクコンバータ２は、エンジン１とベルト式無段変速機ＣＶＴの間に配され、ロックアップクラッチ２０を有する。
エンジンコントローラ（エンジンコントロールユニット９）は、アクセル足離し操作情報を入力すると、フューエルカット制御を開始する。
ブレーキコントローラ（ブレーキコントロールユニット１４）は、ブレーキ踏み込み操作情報を入力すると、ブレーキトルクを増大補正するロックアップ締結時補正制御を開始する。
エンジンコントローラ（エンジンコントロールユニット９）は、ロックアップクラッチ２０が締結からスムーズロックアップオフ制御を介して解放への切り替え情報を入力すると、フューエルカットリカバー制御を開始する。
ブレーキコントローラ（ブレーキコントロールユニット１４）は、ロックアップクラッチ２０が締結からスムーズロックアップオフ制御を介して解放への切り替え情報を入力すると、ブレーキトルクの補正量を減少するロックアップ解放時補正制御に切り替える。
このため、ブレーキ踏み込み操作によるコースト減速時、ロックアップ解放判定のタイミングを変えることなく、ロックアップクラッチ２０が締結から解放への切り替え判定領域にて上限油圧以下となるようにセカンダリ圧Psecを制限することができる。即ち、ロックアップ解放判定タイミングを頂点とし、ロックアップ解放判定まで上昇し、ロックアップ解放判定後低下するセカンダリ圧Psecの油圧特性の上乗せ分が上限油圧により制限されることによる。
【００８６】
以上、本発明のベルト式無段変速機の制御装置を実施例１に基づき説明してきた。しかし、具体的な構成については、この実施例１に限られるものではなく、特許請求の範囲の各請求項に係る発明の要旨を逸脱しない限り、設計の変更や追加等は許容される。
【００８７】
実施例１では、ベルト式無段変速機とエンジンとブレーキの協調制御構成とする例を示した。しかし、ベルト式無段変速機とエンジンとの協調制御構成としても良いし、ベルト式無段変速機とブレーキとの協調制御構成としても良い。さらに、ベルト式無段変速機だけの単独によるセカンダリ圧制限制御としても良い。
【００８８】
実施例１では、本発明の制御装置を、トルクコンバータと前後進切替機構とバリエータと終減速機構により構成されるベルト式無段変速機を搭載したエンジン車に適用する例を示した。しかし、本発明の制御装置は、副変速機付きベルト式無段変速機を搭載した車両に対しても適用することができる。さらに、車両としても、エンジン車に限らず、走行用駆動源としてエンジンとモータを搭載したハイブリッド車や走行用駆動源としてモータを搭載した電気自動車や燃料電池車等であっても適用できる。
【符号の説明】
【００８９】
ＣＶＴ  ベルト式無段変速機
１  エンジン（走行用駆動源）
２  トルクコンバータ
２０  ロックアップクラッチ
３  前後進切替機構
４  バリエータ
４２  プライマリプーリ
４３  セカンダリプーリ
４４  チェーンベルト
５  終減速機構
６  駆動輪
８  ＣＶＴコントロールユニット（変速機コントローラ）
９  エンジンコントロールユニット（走行用駆動源コントローラ）
１３  CAN通信線
１４  ブレーキコントロールユニット（ブレーキコントローラ）
【図１】
2019116935.tif 000003
【図２】
2019116935.tif 000004
【図３】
2019116935.tif 000005
【図４】
2019116935.tif 000006
【図５】
2019116935.tif 000007